(57)【要約】【課題】  ガタつきなくコルゲートチューブを固定することが可能なコルゲートチューブ用ホルダーを提供する。また、ワイヤハーネス配索構造も併せて提供する。【解決手段】  コルゲートチューブ２の内側且つ取付対象３側の内周面１２に沿って配設される内側構成部材４と、コルゲートチューブ２の外側且つ取付対象３反対側の外周面１３に沿って配設される外側構成部材５と、スリット１１に差し込まれて内側構成部材４と外側構成部材５とを連結する連結部６と、外側構成部材５に設けられる固定手段７と、を備えてコルゲートチューブ用ホルダー１を構成する。【選択図】    図１
2005192291.tif 000002
【特許請求の範囲】
【請求項１】
内側にワイヤハーネスを挿通するための空間とチューブ長手方向に形成されるスリットとを有するコルゲートチューブを取付対象に固定するためのホルダーであって、
前記コルゲートチューブの前記内側且つ前記取付対象側の内周面に沿って配設される内側構成部材と、
前記コルゲートチューブの外側且つ前記取付対象反対側の外周面に沿って配設される外側構成部材と、
前記スリットに差し込まれて前記内側構成部材と前記外側構成部材とを連結する連結部と、
前記外側構成部材に設けられる固定手段と、
を備えた
ことを特徴とするコルゲートチューブ用ホルダー。
【請求項２】
請求項１に記載のコルゲートチューブ用ホルダーにおいて、
前記チューブ長手方向にのびる片状部を前記内側構成部材及び／又は前記外側構成部材に一体形成した
ことを特徴とするコルゲートチューブ用ホルダー。
【請求項３】
請求項１又は請求項２に記載のコルゲートチューブ用ホルダーにおいて、
前記外側構成部材に連結され且つ前記取付対象側の前記外周面に配設される第二外側構成部材をさらに備えた
ことを特徴とするコルゲートチューブ用ホルダー。
【請求項４】
請求項１ないし請求項３いずれか記載のコルゲートチューブ用ホルダーを少なくとも二つコルゲートチューブに設けて取付対象に固定した
ことを特徴とするワイヤハーネス配索構造。
【発明の詳細な説明】
【技術分野】
【０００１】
本発明は、内側にワイヤハーネスを挿通したコルゲートチューブを取付対象に固定するためのコルゲートチューブ用ホルダーと、そのコルゲートチューブ用ホルダーをコルゲートチューブに取り付けてなされるワイヤハーネス配索構造とに関する。
【背景技術】
【０００２】
従来のコルゲートチューブ用ホルダーとしては、下記特許文献１に開示された技術が知られている。すなわち、図１１に示されるように、従来のコルゲートチューブ用ホルダー１０１は、下側の受け部１０２と上側の蓋部１０３とを備えて構成されている。受け部１０２は、矩形枠状の周壁１０４と、その周壁１０４に直交する底壁１０５とを有している。周壁１０４は、対向する前後の壁部１０６、１０６と左右の壁部１０７、１０７とで構成されている。
【０００３】
前後の壁部１０６、１０６には、円形のコルゲートチューブ１０８を周方向回動自在に支持するための凹部１０９がそれぞれ形成されている。底壁１０５には、図示しない取付対象に形成される孔に挿入係合するための係止クリップ１１０が一体に突出形成されている。その係止クリップ１１０は、底壁１０５から突出する支柱１１１と、支柱１１１の先端部において上向きに傾斜する一対の可撓係止片１１２とを有している。左右の壁部１０７、１０７には、蓋部１０３に対する係止突起１１３がそれぞれ形成されている。
【０００４】
蓋部１０３は、受け部１０２と同様に、矩形枠状の周壁１１４と、その周壁１１４に直交する天井壁１１５とを有している。周壁１１４は、対向する前後の壁部１１６、１１６と左右の壁部１１７、１１７とで構成されている。前後の壁部１１６、１１６には、コルゲートチューブ１０８を周方向回動自在に支持するための凹部１１９がそれぞれ形成されている。左右の壁部１１７、１１７には、可撓性を有する係合枠片１２０がそれぞれ形成されている。
【０００５】
上記構成において、受け部１０２と蓋部１０３とを上下方向から各係合枠片１２０と各係止突起１１３とが係止されるように嵌合させると、コルゲートチューブ１０８がコルゲートチューブ用ホルダー１０１によって周方向に回動自在、且つ長手方向に移動不能に保持される。
【０００６】
尚、下記特許文献１には、長円形のコルゲートチューブ（平型コルゲートチューブ）に用いられるホルダーについても開示されているので、以下に説明する。
【０００７】
図１２において、従来の平型コルゲートチューブ用ホルダー１３１は、下側の受け部１３２と、上側の蓋部１３３と、平型コルゲートチューブ１３４を保持した状態で受け部１３２及び蓋部１３３の間に回動自在に保持される回動部材１３５とを備えて構成されている。
【０００８】
受け部１３２には、回動部材１３５に対する収容部１３６が形成されている。また、受け部１３２には、蓋部１３３に対する一対の係止突起１３７（一方のみ図示）と、図示しない取付対象の孔に挿入されて係合する係止クリップ１３８とが一体に形成されている。
【０００９】
蓋部１３３には、受け部１３２と同様、回動部材１３５に対する収容部１３９が形成されている。また、蓋部１３３には、係止突起１３７に対する係合枠片１４０、１４０が形成されている。
【００１０】
回動部材１３５は、略半円状の一対の分割部材１４１、１４１を備えて構成されている。分割部材１４１、１４１は、平型コルゲートチューブ１３４を挟み込んで合体すると、真円形状になるように形成されている。各分割部材１４１には、対応する収容部１３６、１３９の摺接溝１４２に対して摺接する突条１４３が形成されている。
【００１１】
上記構成において、受け部１３２と蓋部１３３とを上下方向から各係合枠片１４０と各係止突起１３７とが係止されるように嵌合させると、平型コルゲートチューブ１３４が回動部材１３５に保持された状態で平型コルゲートチューブ用ホルダー１３１によって周方向に回動自在、且つ長手方向に移動不能に保持される。
【特許文献１】特開２００２−１９９５５８号公報  （第５−６頁、第１図、第３図）
【発明の開示】
【発明が解決しようとする課題】
【００１２】
ところで、上記従来技術にあっては、コルゲートチューブ１０８、平型コルゲートチューブ１３４を周方向に回動自在に支持することを目的としていることから、実際には多少の遊びの部分を設ける必要があり、コルゲートチューブ１０８、平型コルゲートチューブ１３４を押さえ付けた状態に固定することはできなかった。そのため、ガタつきの発生を防止したい箇所への取り付けは不向きな構造になっていた。
【００１３】
本発明は、上述した事情に鑑みてなされるもので、ガタつきなくコルゲートチューブを固定することが可能なコルゲートチューブ用ホルダーを提供することを課題とする。また、コルゲートチューブを用いてワイヤハーネスの配索がなされることから、ワイヤハーネス配索構造も併せて提供することを課題とする。
【課題を解決するための手段】
【００１４】
上記課題を解決するためなされた請求項１記載の本発明のコルゲートチューブ用ホルダーは、内側にワイヤハーネスを挿通するための空間とチューブ長手方向に形成されるスリットとを有するコルゲートチューブを取付対象に固定するためのホルダーであって、前記コルゲートチューブの前記内側且つ前記取付対象側の内周面に沿って配設される内側構成部材と、前記コルゲートチューブの外側且つ前記取付対象反対側の外周面に沿って配設される外側構成部材と、前記スリットに差し込まれて前記内側構成部材と前記外側構成部材とを連結する連結部と、前記外側構成部材に設けられる固定手段と、を備えたことを特徴としている。
【００１５】
請求項２記載の本発明のコルゲートチューブ用ホルダーは、請求項１に記載のコルゲートチューブ用ホルダーにおいて、前記チューブ長手方向にのびる片状部を前記内側構成部材及び／又は前記外側構成部材に一体形成したことを特徴としている。
【００１６】
請求項３記載の本発明のコルゲートチューブ用ホルダーは、請求項１又は請求項２に記載のコルゲートチューブ用ホルダーにおいて、前記外側構成部材に連結され且つ前記取付対象側の前記外周面に配設される第二外側構成部材をさらに備えたことを特徴としている。
【００１７】
請求項４記載の本発明のワイヤハーネス配索構造は、請求項１ないし請求項３いずれか記載のコルゲートチューブ用ホルダーを少なくとも二つコルゲートチューブに設けて取付対象に固定したことを特徴としている。
【００１８】
尚、上記手段の具体的な作用については、発明を実施するための最良の形態の欄で詳細に説明するので、ここでは省略する。
【発明の効果】
【００１９】
請求項１に記載された本発明によれば、内側構成部材と外側構成部材と連結部と固定手段とを備えることにより、コルゲートチューブを押さえ付けた状態に固定することができる。従って、ガタつきなくコルゲートチューブを固定することができるという効果を奏する。
【００２０】
請求項２に記載された本発明によれば、片状部を有することから、コルゲートチューブの端部から引き出したワイヤハーネスをテープ巻きで固定する部分として利用することができたり、コルゲートチューブを押さえ付ける面を増やしたりすることができるという効果を奏する。
【００２１】
請求項３に記載された本発明によれば、コルゲートチューブと取付対象との間に第二外側構成部材が介在するようになることから、コルゲートチューブの押さえ付け状態をよりよくすることができるという効果を奏する。
【００２２】
請求項４に記載された本発明によれば、よりよいワイヤハーネス配索構造を提供することができるという効果を奏する。
【発明を実施するための最良の形態】
【００２３】
以下、図面を参照しながら説明する。
図１は本発明のコルゲートチューブ用ホルダーの一実施の形態を示す斜視図である。また、図２は正面図、図３は展開図である。
【００２４】
図１ないし図３において、引用符号１は断面円形のコルゲートチューブ２を例えば自動車のパネルのような取付対象３に対して固定するための本発明のコルゲートチューブ用ホルダーを示している。そのコルゲートチューブ用ホルダー１は、合成樹脂製であって、内側構成部材４と外側構成部材５と連結部６と固定手段７、７とを備えて構成されている。また、コルゲートチューブ用ホルダー１は、上記の各構成が一体となるように成形されている。すなわち、コルゲートチューブ用ホルダー１は、一つの部品として構成されるように成形されている。以下、各構成について詳細に説明する。
【００２５】
上記コルゲートチューブ２は、合成樹脂製の既知の部材であって、上述の如く断面円形となるように形成されている。このようなコルゲートチューブ２には、周方向の凹溝８と凸条９とが交互に等ピッチでチューブ長手方向に複数形成されている。コルゲートチューブ２の内側には、図示しない既知のワイヤハーネスを挿通するための空間１０が形成されている。また、コルゲートチューブ２の側部には、チューブ長手方向にのびるスリット１１が形成されている。
【００２６】
上記内側構成部材４は、コルゲートチューブ２の上記空間１０に存する部分であって、取付対象３側の内周面１２に沿って配設されるように形成されている。内側構成部材４は、図示のような円弧状に湾曲する板状に形成されている。内側構成部材４は、その一方の面が内周面１２に接触するとともに、他方の面が図示しないワイヤハーネスに接触するように形成されている。
【００２７】
尚、内側構成部材４は、本形態において、スリット１１の位置からそのスリット１１が対向する反対側の位置まで内周面１２に沿う湾曲板状に形成されているが、この限りでないものとする。内側構成部材４は、内周方向（円弧方向）に長かったり短かったりしてもよいものとする。また、内側構成部材４の上記チューブ長手方向に一致する方向の長さは、保持力を鑑みながら適宜長さに設定してよいものとする。さらに、内側構成部材４には、重量及びコスト低減用の貫通孔を複数形成してもよいものとする。
【００２８】
上記外側構成部材５は、コルゲートチューブ２の外側に存する部分であって、取付対象３の反対側の外周面１３に沿って配設されるように形成されている。外側構成部材５は、図示のような円弧状に湾曲する板状に形成されている。外側構成部材５は、その一方の面が外周面１３に接触するとともに、他方の面が外部に露出するように形成されている。また、外側構成部材５は、スリット１１の位置からそのスリット１１が対向する反対側の位置まで外周面１３に沿うように形成されている。このような外側構成部材５の上記チューブ長手方向に一致する方向の長さは、保持力を鑑みながら適宜長さに設定されている。尚、外側構成部材５には、重量及びコスト低減用の貫通孔を複数形成してもよいものとする。
【００２９】
上記連結部６は、スリット１１に差し込まれて内側構成部材４と外側構成部材５とを連結する部分であって、スリット差込部１４とヒンジ１５、１５とを有している。スリット差込部１４は、その一端が内側構成部材４の円弧方向の一端に対して一体となる板状に形成されている。ヒンジ１５、１５は、スリット差込部１４の他端に連成されている。ヒンジ１５、１５は、コルゲートチューブ用ホルダー１の展開形状において、固定手段７、７の一方を避けるように配置形成されている。
【００３０】
上記固定手段７、７は、取付対象３に形成される固定部１６、１６に対して固定を行う部分であって、例えばネジ止め部１７、１７とアーム部１８、１８とを有して外側構成部材５の円弧方向の一端及び他端にそれぞれ一体となるように設けられている。固定手段７、７は、外側構成部材５の各端部中央からアーム部１８、１８がのびてその先端にネジ止め部１７、１７が連続するように形成されている。尚、ネジ止め部１７、１７に替えて従来例のような係止クリップを設けたり、図４に示されるような支柱１７′ａと係止クリップ１７′ｂとを設けたりしてもよいものとする（支柱１７′ａは取付対象３′まで伸び、その先端に取付対象３′の図示しない孔に係止される係止クリップ１７′ｂを設ける）。また、アーム部１８、１８の設定は任意であるものとする（上記各端部中央に直接ネジ止め部１７、１７を設けてもよいものとする）。固定手段７、７は、二つに限らないものとする。
【００３１】
上記構成において、連結部６のスリット差込部１４をスリット１１に差し込みつつ内側構成部材４をコルゲートチューブ２の取付対象３側の内周面１２に沿って配設した後、連結部６のヒンジ１５、１５を折り曲げて外側構成部材５をコルゲートチューブ２の取付対象３の反対側の外周面１３に沿って配設すると、コルゲートチューブ用ホルダー１のコルゲートチューブ２に対する取り付けが完了する（特に図示しないが、他のコルゲートチューブ用ホルダー１も同様にコルゲートチューブ２の他の箇所に取り付ける）。
【００３２】
そして、固定手段７、７を介して取付対象３の固定部１６、１６にネジ止め固定を行うと、コルゲートチューブ２の固定とともに図示しないワイヤハーネスの配索が完了する。コルゲートチューブ２は、コルゲートチューブ用ホルダー１の内側構成部材４と外側構成部材５とにより取付対象３に押し付けられて、ガタつきなく固定される。
【００３３】
次に、図５ないし図７を参照しながら本発明によるコルゲートチューブ用ホルダーの他の一実施の形態を説明する。図５は他の一実施の形態を示す斜視図、図６は正面図、図７は展開図である。
【００３４】
図５ないし図７において、引用符号２１は断面長円形のコルゲートチューブ（平型コルゲートチューブ）２２を例えば自動車のパネルのような取付対象２３に対して固定するための本発明のコルゲートチューブ用ホルダー（平型コルゲートチューブ用ホルダー）を示している。そのコルゲートチューブ用ホルダー２１は、合成樹脂製であって、上述のコルゲートチューブ用ホルダー１と同様に、内側構成部材２４と外側構成部材２５と連結部２６と固定手段２７、２７とを備えて構成されている。また、コルゲートチューブ用ホルダー２１は、上記の各構成が一体となるように成形されている。すなわち、コルゲートチューブ用ホルダー２１は、一つの部品として構成されるように成形されている。以下、各構成について詳細に説明する。
【００３５】
上記コルゲートチューブ２２は、合成樹脂製の既知の部材であって、上述の如く断面長円形となるように形成されている。このようなコルゲートチューブ２２には、周方向の凹溝２８と凸条２９とが交互に等ピッチでチューブ長手方向に複数形成されている。コルゲートチューブ２２の内側には、図示しない既知のワイヤハーネスを挿通するための空間３０が形成されている。また、コルゲートチューブ２２の側部には、チューブ長手方向にのびるスリット３１が形成されている。尚、コルゲートチューブ２２における引用符号３２は湾曲面部、３３は平坦面部を示している。
【００３６】
上記内側構成部材２４は、コルゲートチューブ２２の上記空間３０に存する部分であって、取付対象２３側の内周面３４に沿って配設されるように形成されている。内側構成部材２４は、図示のような半長円形の板状に形成されており、コルゲートチューブ２２の湾曲面部３２に沿って配設されるホルダー側湾曲面部３５、３５と、そのホルダー側湾曲面部３５、３５の間に形成されるホルダー側平坦面部３６とを有している。
【００３７】
ホルダー側平坦面部３６には、上記チューブ長手方向に一致する方向にのびる片状部３７、３７が一体に形成されている。その片状部３７、３７は、コルゲートチューブ２２の端部から引き出された図示しないワイヤハーネスをテープ巻きで固定するための部分として利用することができたり、コルゲートチューブ２２を押さえ付けるための面を増やしたりすることができる部分として形成されている（片状部３７、３７の設定は任意であるものとする。また、上述のコルゲートチューブ用ホルダー１に設定してもよいものとする）。
【００３８】
内側構成部材２４は、本形態において、ホルダー側湾曲面部３５、３５、ホルダー側平坦面部３６、及び片状部３７、３７で構成されており、その一方の面が内周面３４に接触するとともに、他方の面が図示しないワイヤハーネスに接触するように形成されている。
【００３９】
尚、内側構成部材２４は、本形態において、スリット３１の位置からそのスリット３１が対向する反対側の位置まで内周面３４に沿う半長円形の板状に形成されているが、この限りでないものとする。内側構成部材２４は、内周方向（円弧方向）に長かったり短かったりしてもよいものとする。また、内側構成部材２４の上記チューブ長手方向に一致する方向の長さは、保持力を鑑みながら適宜長さに設定してよいものとする。さらに、内側構成部材２４には、重量及びコスト低減用の貫通孔を複数形成してもよいものとする。
【００４０】
上記外側構成部材２５は、コルゲートチューブ２２の外側に存する部分であって、取付対象２３の反対側の外周面３８に沿って配設されるように形成されている。外側構成部材５は、図示のような半長円形の板状に形成されており、コルゲートチューブ２２の湾曲面部３２に沿って配設されるホルダー側湾曲面部３９、３９と、そのホルダー側湾曲面部３９、３９の間に形成されるホルダー側平坦面部４０とを有している。
【００４１】
ホルダー側平坦面部４０には、上記チューブ長手方向に一致する方向にのびる片状部４１、４１が一体に形成されている。その片状部４１、４１は、コルゲートチューブ２２の端部から引き出された図示しないワイヤハーネスをテープ巻きで固定するための部分として利用することができたり、コルゲートチューブ２２を押さえ付けるための面を増やしたりすることができる部分として形成されている（片状部４１、４１の設定は任意であるものとする。また、上述のコルゲートチューブ用ホルダー１に設定してもよいものとする）。
【００４２】
外側構成部材２５は、本形態において、ホルダー側湾曲面部３９、３９、ホルダー側平坦面部４０、及び片状部４１、４１で構成されており、その一方の面が外周面３８に接触するとともに、他方の面が外部に露出するように形成されている。また、外側構成部材２５は、スリット３１の位置からそのスリット３１が対向する反対側の位置まで外周面３８に沿うように形成されている。このような外側構成部材２５の上記チューブ長手方向に一致する方向の長さは、保持力を鑑みながら適宜長さに設定されている。尚、外側構成部材２５には、重量及びコスト低減用の貫通孔を複数形成してもよいものとする。
【００４３】
上記連結部２６は、スリット３１に差し込まれて内側構成部材２４と外側構成部材２５とを連結する部分であって、スリット差込部４２とヒンジ４３、４３とを有している。スリット差込部４２は、その一端が内側構成部材２４のホルダー側湾曲面部３５の一端に対して一体となる板状に形成されている。ヒンジ４３、４３は、スリット差込部４２の他端に連成されている。ヒンジ４３、４３は、コルゲートチューブ用ホルダー２１の展開形状において、固定手段２７、２７の一方を避けるように配置形成されている。
【００４４】
上記固定手段２７、２７は、取付対象２３に形成される固定部４４、４４に対して固定を行う部分であって、例えばネジ止め部４５、４５とアーム部４６、４６とを有して外側構成部材２５のホルダー側湾曲面部３９、３９にそれぞれ一体となるように設けられている。固定手段２７、２７は、外側構成部材２５のホルダー側湾曲面部３９、３９の各端部中央からアーム部４６、４６がのびてその先端にネジ止め部４５、４５が連続するように形成されている。尚、ネジ止め部４５、４５に替えて従来例のような係止クリップを設けたり、図８に示されるような支柱４５′ａと係止クリップ４５′ｂとを設けたりしてもよいものとする（支柱４５′ａは取付対象２３′まで伸び、その先端に取付対象２３′の図示しない孔に係止される係止クリップ４５′ｂを設ける）。また、アーム部４６、４６の設定は任意であるものとする（上記各端部中央に直接ネジ止め部４５、４５を設けてもよいものとする）。固定手段２７、２７は、二つに限らないものとする。
【００４５】
上記構成において、連結部２６のスリット差込部４２をスリット３１に差し込みつつ内側構成部材２４をコルゲートチューブ２２の取付対象２３側の内周面３４に沿って配設した後、連結部２６のヒンジ４３、４３を折り曲げて外側構成部材２５をコルゲートチューブ２２の取付対象２３の反対側の外周面３８に沿って配設すると、コルゲートチューブ用ホルダー２１のコルゲートチューブ２２に対する取り付けが完了する（特に図示しないが、他のコルゲートチューブ用ホルダー２１も同様にコルゲートチューブ２２の他の箇所に取り付ける）。
【００４６】
そして、固定手段２７、２７を介して取付対象２３の固定部４４、４４にネジ止め固定を行うと、コルゲートチューブ２２の固定とともに図示しないワイヤハーネスの配索が完了する。コルゲートチューブ２２は、コルゲートチューブ用ホルダー２１の内側構成部材２４と外側構成部材２５とにより取付対象２３に押し付けられて、ガタつきなく固定される。
【００４７】
続いて、図９及び図１０を参照しながら上述のコルゲートチューブ用ホルダー２１の他の例及び更に他の例を説明する。図９は他の例を示す斜視図、図１０は更に他の例を示す斜視図である。
【００４８】
図９において、引用符号２１′で示されるコルゲートチューブ用ホルダーは、上述のコルゲートチューブ用ホルダー２１に対して次の点が異なっている。すなわち、内側構成部材２４のホルダー側平坦面部３６には、ハーネス整列部４７が複数形成されており、そのハーネス整列部４７が存在する点が異なっている。ハーネス整列部４７は、図示しないワイヤハーネスを整列させるための突起であって、内側構成部材２４の内周方向に所定のピッチで配設されている（本形態においては、櫛歯状となるように三つ横一列に並んで配設されている。数及び配置はこの限りでないものとする）。ハーネス整列部４７により、図示しないワイヤハーネスの片寄りを防止することができるようになっている。
【００４９】
図１０において、引用符号２１″で示されるコルゲートチューブ用ホルダーは、上述のコルゲートチューブ用ホルダー２１に対して次の点が異なっている。すなわち、内側構成部材２４のホルダー側平坦面部３６には、ハーネス整列部４７が複数形成されている。また、外側構成部材２５のホルダー側湾曲面部３９には、第二外側構成部材４８がヒンジ４９、４９を介して連成されている。これらハーネス整列部４７と第二外側構成部材４８とヒンジ４９、４９とが存在する点が上述と異なっている。
【００５０】
ハーネス整列部４７は、図９を参照しながら上述した通りである。第二外側構成部材４８は、取付対象２３側の外周面３８に沿って配設される部分であって、コルゲートチューブ２２の押さえ付け状態をよりよくするために設けられている。第二外側構成部材４８は、コルゲートチューブ２２の湾曲面部３２に沿って配設されるホルダー側湾曲面部５０、５１と、そのホルダー側湾曲面部５０、５１の間に形成されるホルダー側平坦面部５２とを有している。
【００５１】
尚、上述のコルゲートチューブ用ホルダー１の外側構成部材５に第二外側構成部材４８と同様のものを連成してもよいものとする。
【００５２】
以上、図１ないし図１０を参照しながら説明してきたように、内側構成部材と外側構成部材と連結部と固定手段とを備えることにより、コルゲートチューブを押さえ付けた状態に固定することができる。従って、ガタつきなくそのコルゲートチューブを固定することができる。
【００５３】
その他、本発明は本発明の主旨を変えない範囲で種々変更実施可能なことは勿論である。
【図面の簡単な説明】
【００５４】
【図１】本発明によるコルゲートチューブ用ホルダーの一実施の形態を示す斜視図である。
【図２】コルゲートチューブ用ホルダーの正面図である。
【図３】コルゲートチューブ用ホルダーの展開図である。
【図４】固定手段の他の例を示すコルゲートチューブ用ホルダーの正面図である。
【図５】本発明によるコルゲートチューブ用ホルダーの他の一実施の形態を示す斜視図である。
【図６】図５のコルゲートチューブ用ホルダーの正面図である。
【図７】図５のコルゲートチューブ用ホルダーの展開図である。
【図８】固定手段の他の例を示すコルゲートチューブ用ホルダーの正面図である。
【図９】図５のコルゲートチューブ用ホルダーの他の例を示す斜視図である。
【図１０】図５のコルゲートチューブ用ホルダーの更に他の例を示す斜視図である。
【図１１】従来例のコルゲートチューブ用ホルダーの分解斜視図である。
【図１２】従来例の平型コルゲートチューブ用ホルダーの分解斜視図である。
【符号の説明】
【００５５】
１  コルゲートチューブ用ホルダー
２  コルゲートチューブ
３  取付対象
４  内側構成部材
５  外側構成部材
６  連結部
７  固定手段
８  凹溝
９  凸条
１０  空間
１１  スリット
１２  内周面
１３  外周面
１４  スリット差込部
１５  ヒンジ
１６  固定部
１７  ネジ止め部
１７′ａ  支柱
１７′ｂ  係止クリップ
１８  アーム部
２１、２１′、２１″  コルゲートチューブ用ホルダー
２２  コルゲートチューブ
２３  取付対象
２４  内側構成部材
２５  外側構成部材
２６  連結部
２７  固定手段
２８  凹溝
２９  凸条
３０  空間
３１  スリット
３２  湾曲面部
３３  平坦面部
３４  内周面
３５  ホルダー側湾曲面部
３６  ホルダー側平坦面部
３７  片状部
３８  外周面
３９  ホルダー側湾曲面部
４０  ホルダー側平坦面部
４１  片状部
４２  スリット差込部
４３  ヒンジ
４４  固定部
４５  ネジ止め部
４５′ａ  支柱
４５′ｂ  係止クリップ
４６  アーム部
４７  ハーネス整列部
４８  第二外側構成部材
４９  ヒンジ
５０、５１  ホルダー側湾曲面部
５２  ホルダー側平坦面部
【図１】
2005192291.tif 000003
【図２】
2005192291.tif 000004
【図３】
2005192291.tif 000005
【図４】
2005192291.tif 000006
【図５】
2005192291.tif 000007
【図６】
2005192291.tif 000008
【図７】
2005192291.tif 000009
【図８】
2005192291.tif 000010
【図９】
2005192291.tif 000011
【図１０】
2005192291.tif 000012
【図１１】
2005192291.tif 000013
【図１２】
2005192291.tif 000014